(57)【要約】【課題】他のチューブ容器に対する識別力と加飾効果の持続性とを備え、しかも、小ロットの生産にも対応し得るチューブ容器を提供する。【解決手段】チューブ容器１０は、内容物の注出口を有するヘッド１１と、このヘッド１１につながり内容物を収容する胴部１２とを備え、胴部１２は、内容物を収容するベース層１２ａと、このベース層１２ａの外表面を覆う透明または半透明の保護層１２ｂと、この保護層１２ｂとベース層１２ａとの相互間に介在して胴部１２の一部を装飾する中間体１４とを備える。【選択図】        図１
2005047516.tif 000002
【特許請求の範囲】
【請求項１】
内容物の注出口を有するヘッドと、このヘッドにつながり内容物を収容する胴部とを備えるチューブ容器であって、
前記胴部は、内容物を収容するベース層と、このベース層の外表面を覆う透明または半透明の保護層と、この保護層と前記ベース層との相互間に介在して胴部の全面または一部を装飾する中間体とを備えることを特徴とするチューブ容器。
【請求項２】
前記中間体は、ラベルである請求項１に記載のチューブ容器。
【請求項３】
前記中間体は、押し花、懸賞用タックラベルまたは景品等の固体物である請求項１に記載のチューブ容器。
【請求項４】
前記中間体は、流動性物質または半固体物質である請求項１に記載のチューブ容器。
【発明の詳細な説明】
【０００１】
【発明の属する技術分野】
本発明は、内容物の注出口を有するヘッドと、このヘッドにつながり内容物を収容する胴部とを備えるチューブ容器に関するものである。
【０００２】
【従来の技術】
チューブ容器に識別力を持たせる手段としてその胴部にオフセット印刷・シルクスクリーン印刷または転写によって加飾を施すことは既知であり、この加飾部分を保護するため、その表面に透明なオーバコート層を設けていた。しかしながら、こうした印刷方法では、紙製品などの加飾に用いられるグラビア印刷と比較して加飾効果が劣るため、本願出願人は既に、チューブ容器の胴部にグラビア印刷等を施したタックラベルを貼着する技術を提案済みである（特許文献１参照。）。
【０００３】
【特許文献１】
特開平８−１３３３０９号公報
【０００４】
【発明が解決しようとする課題】
ところが、ラベルの貼着によって加飾するチューブ容器にあっても、ラベル印刷面の剥がれが生じたり、ラベルの剥がれ等といった問題が生じ、加飾効果の持続性という点に改良の余地があった。加えて、印刷等による加飾では、作業変更が煩雑となるため、大ロットの生産では問題無いものの、小ロットの生産には対応しきれないなどの問題を有していた。
【０００５】
本発明は、上述した問題点を解消するためになされたものであって、他のチューブ容器に対する識別力と加飾効果の持続性とを備え、しかも、小ロットの生産にも対応し得るチューブ容器を提供することを目的とする。
【０００６】
【課題を解決するための手段】
このため、請求項１に係る発明は、内容物の注出口を有するヘッドと、このヘッドにつながり内容物を収容する胴部とを備えるチューブ容器であって、前記胴部は、内容物を収容するベース層と、このベース層の外表面を覆う透明または半透明の保護層と、この保護層と前記ベース層との相互間に介在して胴部の全面または一部を装飾する中間体とを備えることを特徴とするものである。
【０００７】
請求項２に係る発明は、請求項１において、前記中間体を、ラベルとしてなる。
【０００８】
請求項３に係る発明は、請求項１において、前記中間体を、押し花、懸賞用タックラベルまたは景品等の固体物としてなる。
【０００９】
請求項４に係る発明は、請求項１において、前記中間体を、流動性物質または半固体物質としてなる。
【００１０】
【発明の実施の形態】
以下、本発明の一実施の形態を、添付図面に基づき詳細に説明する。
【００１１】
図１は、本発明に係るチューブ容器１０を示す平面図であり、図２は図１のＡ−Ａ断面付近を展開した斜視断面図である。
【００１２】
チューブ容器１０は、押出成形やブロー成形などの成形方法により成形され、内容物の注出口を有するヘッド１１（チューブ容器１０が押出成形の場合のヘッド１１は圧縮成形や射出成形などの成形方法で成形される）と、このヘッド１１につながり内容物を収容する胴部１２とを備えるチューブ本体と、ヘッド１１の注出口に取り付けられるキャップ１３からなる。
【００１３】
胴部１２は、例えば、ポリエチレン、ポリプロピレン、ポリエステル、エチレンビニルアルコール共重合体、環状ポリオレフィン等の熱可塑性樹脂の単層やそれらの積層体、または、アルミニウム等の金属箔の両面にポリエチレン等の樹脂を積層させた積層体等からなる内容物を収容するベース層１２ａと、ベース層１２ａの外表面の全面を覆う透明または半透明なポリエチレン、変形ポリオレフィン等の熱可塑性樹脂からなる保護層１２ｂと、この保護層１２ｂとの相互間に介在してベース層１２ａの一部を装飾する３つの中間体１とを備え、その後端部１２ｅがヒートシールや超音波等の方法で封緘される。なお、保護層１２ｂは、ベース層１２ａとの間に接着層を設けて接着しても、加熱等により収縮させて密着させてもよい。また中間体１は、ベース層１２ａと保護層１２ｂとの相互間に挿入するだけでも、ベース層１２ａの外表面に対して貼着してもよい。
【００１４】
３つの中間体１は、例えば、単色で加飾した相似形のものであって、中間体個々の色彩が異なる。なお、中間体１の加飾は、印刷、中間体原料への着色、塗装など、様々な方法を用いることができる。また、中間体１の個数、形状、色彩は、個々に独立して設定することができるが、勿論、形状および色彩が同一になることを妨げない。さらに中間体１の大きさも自由に設定することができ、個々の大きさを統一しても、１つの中間体１で胴部１２の全面を装飾してもよい。加えて中間体１には、模様を施しても良く、この場合は、単色のみならず、複数の色彩を組み合わせてもよい。
【００１５】
つまり、本発明によれば、中間体１の変更だけで識別力を有する様々なチューブ容器の生産が可能となる。また、中間体１の厚み分、チューブ容器の外観に凹凸部が形成されるため、その陰影によって展示効果が向上し、加えて触感による識別力も付与される。さらに、中間体１を保護層１２ｂとベース層１２ａとの相互間に介在させたことにより、中間体１の加飾面の劣化や脱落を防止できるため、加飾効果の持続性が向上する。しかも、識別力を有する様々なチューブ容器を生産するための作業変更は、中間体１の形状、色彩（印刷）、大きさの変更およびその配置位置の変更のみで対応できるので、小ロットの生産への対応が容易になる。
【００１６】
また中間体１には、ラベル、流動性物質若しくは半固体物質、または、押し花、キャラクターグッズ等の景品若しくは懸賞用タックラベル等の固体物などといった様々なものを採用することができる。
【００１７】
中間体１がラベルである場合は、例えば、ポリエチレン、ポリプロピレン、ポリスチレン、ポリエステル等の熱可塑性樹脂に着色したもの、または、これらの熱可塑性樹脂若しくは紙の表面に印刷を施したものを用いる。ここで施される印刷は、グラビア印刷やオフセット印刷のほか、公知の印刷技術を用いて施される。特に、中間体１を、色彩の濃淡等の再現性が良いグラビア印刷を施したラベルとすれば、チューブ容器１０の鑑賞性および展示効果（加飾効果）が向上する。
【００１８】
また、中間体１を、押し花、キャラクターグッズ等の景品または懸賞用タックラベル等の固体物とすれば、商品に付加価値を与えることができると共に、こうした固体物が保護層１２ｂの内面に配置されることにより、店頭に陳列した場合における悪戯を防止することができる。
【００１９】
さらに、中間体１を、無色または着色を施した液体や磁性粉などの流動性物質、または、無色または着色を施したゲル等の半固体物質とすれば、チューブ容器１０の外観形状が固定されることなく、視覚を通じた様々な意匠効果を創出できることや触感を通じた面白みを与えることで、他のチューブ容器との識別力を発揮させることができる。
【００２０】
【発明の効果】
上述したことから明らかな如く、請求項１に係る発明によれば、中間体の変更だけで識別力を有する様々なチューブ容器の生産が可能となる。また、中間体の厚み分、チューブ容器の外観に凹凸部が形成されるため、その陰影によって展示効果が向上し、加えて触感による識別力も付与される。さらに、中間体を保護層とベース層との相互間に介在させたことにより、中間体の劣化や脱落を防止できるため、加飾効果の持続性が向上する。しかも、識別力を有する様々なチューブ容器を生産するための作業変更は、中間体の形状、色彩（印刷）、大きさの変更およびその配置位置の変更のみで対応できるので、小ロットの生産への対応が容易になる。
【００２１】
請求項２に係る発明は、前記中間体を、ラベルとしたことにより、チューブ容器の鑑賞性および展示効果（加飾効果）が向上する。さらには、ラベルを色彩の濃淡等の再現性が良いグラビア印刷を施したラベルとした場合には、チューブ容器の鑑賞性および展示効果（加飾効果）がさらに向上する。
【００２２】
請求項３に係る発明は、前記中間体を、押し花、懸賞用タックラベルまたは景品等の固体物としたことにより、商品に付加価値を与えることができると共に、こうした固体物が保護層の内面に配置されることにより、店頭に陳列した場合における悪戯を防止することができる。
【００２３】
請求項４に係る発明は、前記中間体を、流動性物質または半固体物質としたことにより、チューブ容器の外観形状が固定されることなく、視覚を通じた様々な意匠効果を創出できることや触感を通じた面白みを与えることで、他のチューブ容器との識別力を発揮させることができる。
【図面の簡単な説明】
【図１】本発明に係るチューブ容器を示す平面図である。
【図２】胴部１２のＡ−Ａ断面付近を展開した斜視断面図である。
【符号の説明】
１０  チューブ容器
１１  ヘッド
１２  胴部
１３  保護層
１４  中間体
【図１】
2005047516.tif 000003
【図２】
2005047516.tif 000004